(57)【要約】      （修正有）【課題】保持部に対するシャンク部の挿脱が容易であり、且つ収納ケースへの収納時においては不用意に切削工具が保持部から脱落しない切削工具の収納ケースを提供する。【解決手段】保持部２の先端側円筒部１０の構成壁に、先端に向かって開放するスリット１４を等角度間隔で少なくともＮ個設けると共に、前記先端側円筒部１０のスリット１４，１４相互間に形成されるＮ個の弾性片１５の外壁上部域に突起部１６を設け、前記保持部１の内周面はシャンク部の外周径に対して緩めの嵌め合いとなるように設定し、カバーケース２が少なくとも先端側円筒部１０構成壁に外挿されたときには当該カバーケース２の内壁により突起部１６を押し込まれ、これにより各弾性片１５が内側に弾性変形してシャンク部９２が強固に保持される。【選択図】  図２
2006346796.tif 000002
【特許請求の範囲】
【請求項１】
切削工具のシャンク部が挿入保持される保持部と、前記保持部の少なくとも一部及び前記保持部から突出する切削工具部分に外挿される断面正Ｎ角形状（Ｎは３以上の自然数）のカバーケースから構成された切削工具の収納ケースにおいて、前記保持部の先端側円筒部構成壁に、先端に向かって開放するスリットを等角度間隔でＮ個設けると共に、前記先端側円筒部のスリット相互間に形成されるＮ個の弾性片の外壁上部域に突起部を設け、前記保持部の内周面はシャンク部の外周径に対して緩めの嵌め合いとなるように設定し、カバーケースが少なくとも先端側円筒部構成壁に外挿されたときには当該カバーケースの内壁により突起部を押し込まれ、これにより各弾性片が内側に弾性変形してシャンク部が強固に保持されることを特徴とする切削工具の収納ケース。
【請求項２】
切削工具のシャンク部が挿入保持される保持部と、前記保持部の少なくとも一部及び前記保持部から突出する切削工具部分に外挿される断面円形状のカバーケースから構成された切削工具の収納ケースにおいて、前記保持部の先端側円筒部構成壁に、先端に向かって開放するスリットを等角度間隔で少なくともＮ個（Ｎは３以上の自然数）設けると共に、前記先端側円筒部のスリット相互間に形成されるＮ個の弾性片の外壁上部域に突起部を設け、前記保持部の内周面はシャンク部の外周径に対して緩めの嵌め合いとなるように設定し、カバーケースが少なくとも先端側円筒部構成壁に外挿されたときには当該カバーケースの内壁により突起部を押し込まれ、これにより各弾性片が内側に弾性変形してシャンク部が強固に保持されることを特徴とする切削工具の収納ケース。
【請求項３】
保持部及びカバーケースは、弾性合成成樹脂であり、更にカバーケースは透明又は半透明であることを特徴とする請求項１又は２記載の切削工具の収納ケース。
【請求項４】
保持部のシャンク部が挿入されている孔構成壁の内壁面にスリットに繋がる溝を設けて薄肉部を構成させてあることを特徴とする請求項１乃至３のいずれかに記載の切削工具の収納ケース。
【請求項５】
カバーケースの断面形状は、正三角形、正四角形、正六角形であることを特徴とする請求項１、３、４のいずれかに記載の切削工具の収納ケース。
【請求項６】
先端部の直径が、０．０２ｍｍ〜３ｍｍのルーマ型の切削工具を対象とする請求項１乃至５のいずれかに記載の切削工具の収納ケース。
【請求項７】
切削工具のシャンク部が挿入保持される保持部と、前記保持部の少なくとも一部及び前記保持部から突出する切削工具部分に外挿されるカバーケースから構成された切削工具の収納ケースにおいて、前記保持部の先端側円筒部構成壁に、先端に向かって開放するスリットを等角度間隔で少なくともＮ個（Ｎは３以上の自然数）設けると共に、前記先端側円筒部のスリット相互間に形成されるＮ個の弾性片の外壁上部域に突起部を設け、前記保持部の内周面はシャンク部の外周径に対して緩めの嵌め合いとなるように設定し、カバーケースが少なくとも先端側円筒部構成壁に外挿されたときには当該カバーケースの内壁により突起部を押し込まれ、これにより各弾性片が内側に弾性変形してシャンク部が強固に保持されることを特徴とする切削工具の収納ケース。
【発明の詳細な説明】
【技術分野】
【０００１】
この発明は、切刃が設けられた先端部の径がシャンク部の径よりも小さくなった切削工具（ドリルやエンドミル等）の収納様ケース、特に先端部の径が０．０２ｍｍ〜３ｍｍにおける切削工具の収納用ケースに関するものである。
【背景技術】
【０００２】
近年、電子機器におけるプリント基板等に対して精密な孔明け加工等を行うため、直径が小さい先端部を有する切削工具が使用されるようになってきている。
【０００３】
したがって、切刃が設けられた先端部の径がシャンク部の径よりも小さくなったルーマ型の切削工具が使用されているが、将来的にはより径の細い先端部のものが要求されると考えられる。
【０００４】
ところで、切削工具の収納ケースとしては、ケース本体にシャンク部分を挿入する受入れ穴が穿設され、前記受入れ穴内には内挿スリーブが装着され、しかもこの内挿スリーブの内周には、軸方向または円周方向に可撓性のある舌片部分が複数個凸設されるようにしてある（例えば、引用文献１。）。よってこの収納ケースでは、可撓性のある舌片部分によるスプリングアクションにより、シャンク径が多少違っても保持が可能である。
【０００５】
しかしながら、前記切削工具の収納ケースは、シャンク部を薄い舌片部分のスプリングアクションで保持する構成であるが故にシャンク部への保持力が弱く、例えば振動があった場合には舌片部分から切削工具が抜け出てしまう可能性がある。前記事態が生じた場合、大径の切削工具の場合は比較的被害が少ないと考えられるが、ルーマ型の切削工具の場合、細い先端部が折れてしまう危険性が非常に高い。
【０００６】
近年、切削工具の収納ケースを取り扱う業界では、保持部に対するシャンク部の挿脱が容易であり、且つシャンク部を保持部により保持させた状態では当該シャンク部の脱落が極めて少ない切削工具の収納ケースが開発されることを待ち望んでいる。
【特許文献１】実用新案出願公告平３−３８１１２
【発明の開示】
【発明が解決しようとする課題】
【０００７】
そこで、この発明では、保持部に対するシャンク部の挿脱が容易であり、且つ収納ケースへの収納時においては不用意にを切削工具が保持部から脱落しない切削工具の収納ケースを提供することを課題とする。
【課題を解決するための手段】
【０００８】
（請求項１記載の発明）
この発明は、切削工具のシャンク部が挿入保持される保持部と、前記保持部の少なくとも一部及び前記保持部から突出する切削工具部分に外挿される断面正Ｎ角形状（Ｎは３以上の自然数）のカバーケースから構成された切削工具の収納ケースにおいて、前記保持部の先端側円筒部構成壁に、先端に向かって開放するスリットを等角度間隔でＮ個設けると共に、前記先端側円筒部のスリット相互間に形成されるＮ個の弾性片の外壁上部域に突起部を設け、前記保持部の内周面はシャンク部の外周径に対して緩めの嵌め合いとなるように設定し、カバーケースが少なくとも先端側円筒部構成壁に外挿されたときには当該カバーケースの内壁により突起部を押し込まれ、これにより各弾性片が内側に弾性変形してシャンク部が強固に保持される。
（請求項２記載の発明）
この発明は、切削工具のシャンク部が挿入保持される保持部と、前記保持部の少なくとも一部及び前記保持部から突出する切削工具部分に外挿される断面円形状のカバーケースから構成された切削工具の収納ケースにおいて、前記保持部の先端側円筒部構成壁に、先端に向かって開放するスリットを等角度間隔で少なくともＮ個（Ｎは３以上の自然数）設けると共に、前記先端側円筒部のスリット相互間に形成されるＮ個の弾性片の外壁上部域に突起部を設け、前記保持部の内周面はシャンク部の外周径に対して緩めの嵌め合いとなるように設定し、カバーケースが少なくとも先端側円筒部構成壁に外挿されたときには当該カバーケースの内壁により突起部を押し込まれ、これにより各弾性片が内側に弾性変形してシャンク部が強固に保持される。
（請求項３記載の発明）
この発明の切削工具の収納ケースは、上記請求項１又は２記載の発明に関し、保持部及びカバーケースは、弾性合成成樹脂であり、更にカバーケースは透明又は半透明である。（請求項４記載の発明）
この発明の切削工具の収納ケースは、上記請求項１乃至３のいずれかに記載の発明に関し、保持部のシャンク部が挿入されている孔構成壁の内壁面にスリットに繋がる溝を設けて薄肉部を構成させてある。
（請求項５記載の発明）
この発明の切削工具の収納ケースは、上記請求項１、３、４のいずれかに記載の発明に関し、カバーケースの断面形状は、正三角形、正四角形、正六角形である。
（請求項６記載の発明）
この発明の切削工具の収納ケースは、上記請求項１乃至５のいずれかに記載の発明に関し、先端部の直径が、０．０２ｍｍ〜３ｍｍのルーマ型の切削工具を対象とするものとしている。
（請求項７記載の発明）
この発明の切削工具の収納ケースは、切削工具のシャンク部が挿入保持される保持部と、前記保持部の少なくとも一部及び前記保持部から突出する切削工具部分に外挿されるカバーケースから構成された切削工具の収納ケースにおいて、前記保持部の先端側円筒部構成壁に、先端に向かって開放するスリットを等角度間隔で少なくともＮ個（Ｎは３以上の自然数）設けると共に、前記先端側円筒部のスリット相互間に形成されるＮ個の弾性片の外壁上部域に突起部を設け、前記保持部の内周面はシャンク部の外周径に対して緩めの嵌め合いとなるように設定し、カバーケースが少なくとも先端側円筒部構成壁に外挿されたときには当該カバーケースの内壁により突起部を押し込まれ、これにより各弾性片が内側に弾性変形してシャンク部が強固に保持される。
【発明の効果】
【０００９】
この発明の切削工具の収納ケースによると、保持部に対するシャンク部の挿脱が容易であり、且つ収納ケースへの収納時においては不用意にを切削工具が保持部から脱落しないものとなる。
【発明を実施するための最良の形態】
【００１０】
以下にこの発明の切削工具の収納ケースを実施するための最良の形態としての実施例について詳細に説明する。
【００１１】
図１はこの発明の実施例の切削工具の収納ケースＫとこれに収容保持されたルーマ型の切削工具９の正面図、図２は前記切削工具９の収納ケースＫの斜視図、図３は前記収納ケースＫの部分断面図、図４は前記収納ケースＫを構成する保持部の平面図、図５は図３の状態から保持部１にカバーケース２を外挿した状態を示す平面図、図６は図４の状態から保持部２にカバーケース１を外挿した状態を示す平面図を示している。
（この切削工具の収納ケースＫの基本的構成について）
この切削工具の収納ケースＫは、図１や図２に示すように、切削工具９のシャンク部９０が挿入保持される保持部１と、前記保持部１の上部ら及び当該保持部１から突出する切削工具９部分に外挿されるカバーケース２から構成されている。
【００１２】
以下に、この収納ケースＫを構成する保持部１及びカバーケース２並びに切削工具９について詳述する。
（切削工具９の構成について）
切削工具９は、図１に示すように、ルータ型タイプのものであり、切刃が形成された先端部９０と、前記先端部９０に繋がるテーパ部９１をシャンク部９２とから構成されている。ここで、上記シャンク部９２は工作機械の接続手段に接続されるため比較的大きな直径に設定してあるが、先端部９０は極めて細い直径（例えば、０．０２ｍｍ〜３ｍｍ）程度に設定してある。
（保持部１の構成について）
保持部１は図１〜図３に示すように、ポリエチレン系のアイオノマー（硬度：ＪＩＳ  Ｋ−７２１５  ５０〜５５、反発弾性：ＪＩＳ  Ｋ６３１０  ３５〜６５、摩擦係数：ＪＩＳ  Ｋ−７２０４  １．０〜１．５）により構成されており、基本的には先端側円筒部１０とケース嵌合部１１と基礎部１２を一体成形したものであると共に、前記先端側円筒部１０から基礎部１２までに繋がるシャンク挿入用の孔１２が形成されている。
【００１３】
先端側円筒部１０は、図１〜図４に示すように、その構成壁に先端に向かって開放するスリット１４を９０°角度間隔で４個設ける態様で、前記スリット１４，１４相互間にそれぞれ弾性片１５を構成してあり、更に構成壁の内面側に前記スリット１４と繋がる（連続する）溝１７を形成することにより薄肉部１７を構成させてある。また、先端側円筒部１０の先端域は、図３や図５に示すように、先端に向かって徐々に広がるテーパ状としており、また前記弾性片１５の外壁上部域には突起部１６を設けている。ここで、この保持部１の孔１３の内周面はシャンク部９２の外周径に対して緩めの嵌め合いとなるように設定してあり、また、上記弾性片１５の突起部１６を内側に押し込むと上記孔１３の径のうち先端部の径はシャンク部９２より小さくなるようにしてある。なお、前記突起部１６の形状は図３に示すように、先端に向かって低くなるテーパ形状としてある。
【００１４】
ケース嵌合部１１は、図１や図２に示すように、カバーケース２の開放端が密に外嵌される略正方形状に形成してある。
【００１５】
基礎部１２は、図１や図２に示すように、その平面視形状をカバーケース２の外周形状と同じ形状に設定してある。
（カバーケース２の構成について）
カバーケース２は、図１や図２に示すように、透明又は半透明のポリエチレン系のアイオノマー（硬度：ＪＩＳ  Ｋ−７２１５  ５６〜７０）により構成された断面正方形状の一端開放の筒状のものであり、対向する壁面の内面相互間寸法を背向する弾性片１５，１５の突起部１６，１６相互間寸法よりも少し小さく設定してある。
（切削工具の収納ケースＫに対する切削工具９の収納・取り出しについて）
(1) 保持部１からカバーケース２を抜き取る。
(2) 切削工具９のシャンク部９２を保持部１の孔１３に挿入する。ここで、保持部１の孔１３の内周面はシャンク部９２の外周径に対して緩めの嵌め合いとしてあり、且つ保持部１の孔１３の先端に向かって徐々に広がるテーパ状としてあるから、前記挿入操作は非常に容易にできる。また、保持部１におけるスリット１４と繋がる（連続する）溝１７を形成することにより薄肉部１７を構成させてあるから、製造誤差により相対的にシャンク部９２が多少大径であっても薄肉部１７の広がりにより無理なくシャンク部９２を挿入できる。
(3) 次に、カバーケース２をケース嵌合部１１に当接するまで、外挿させる。この外挿状態では、図５や図６に示すように、カバーケース２の４個の内壁面により弾性片１５は突起部１６を介して内側へ押し込まれることになるから、シャンク部９２は４個の突起部１６により強固に保持されることになる。なお、保持部１は上記したポリエチレン系のアイオノマーにより形成されているから摩擦係数が大きく、その結果不用意な脱落は抑制される。
(4) 切削工具の収納ケースＫから切削工具９を取り出す場合、保持部１からカバーケース２を抜き取る。この状態では、図３や図４に示すように、弾性片１５は弾性復帰しており、４個の弾性片１５が構成する孔は広がっている。したがって、シャンク部９２を持って引き抜き力を作用させると容易に切削工具９を取り出すことができる。
（この切削工具の収納ケースＫの優れた効果について）
(1) 上記（切削工具の収納ケースＫに対する切削工具９の収納・取り出しについて）欄で述べたことから、保持部１に対して切削工具９の取り付け・取り外しが容易であり、シャンク部９２を保持部１により保持させてカバーケース２を外挿した状態では当該シャンク部９２が、保持部１から不用意に脱落する危険性は極めて少ないものとなる、ことが明らかである。
(2) この切削工具の収納ケースＫの周面は、４面の透明又は半透明の樹脂板により構成されているから、目視においてレンズ効果はなく、切削工具のサイズを見誤る危険性は少ない。
（その他の内容について）
カバーケース２及びケース嵌合部１１の断面形状は、正四角形にかぎられず、正三角形や正六角形、その他の正多角形或いは円形状であってもよい。カバーケース２及びケース嵌合部１１の断面形状が正Ｎ角形（Ｎは自然数）の場合にはスリット１４及び薄肉部１７は３６０°／Ｎ間隔で形成され、弾性片１５はＮ個になる。そして、カバーケース２の断面正Ｎ角形を形成する面により各弾性片１５がそれぞれ弾性変形するようになる。
【００１６】
また、保持部１を構成する樹脂としては、ＰＶＣ、ＰＥ、ＰＥ系共重合体等が使用でき、カバーケース２を構成する樹脂としては、ＰＶＣ、透明ＰＰ、スチレン系樹脂等も使用できる。基本的には、保持部１は弾性力を有し、カバーケース２は剛性を有するものであることが重要である。何故ならば、カバーケース２の内壁面により保持部１の弾性片１５を押し込む構成としなければならないからである。
【図面の簡単な説明】
【００１７】
【図１】この発明の実施例の切削工具の収納ケースとこれに収容保持されたルーマ型の切削工具の正面図。
【図２】前記切削工具の収納ケースＫの斜視図。
【図３】前記収納ケースＫの部分断面図。
【図４】前記収納ケースＫを構成する保持部の平面図。
【図５】図３の状態から保持部１にカバーケース２を外挿した状態を示す平面図。
【図６】図４の状態から保持部２にカバーケース１を外挿した状態を示す平面図。
【符号の説明】
【００１８】
Ｋ          切削工具の収納ケース
１          保持部
１０        先端円筒部
１１        ケース嵌合部
１２        基礎部
１３        孔
１４        スリット
１５        弾性片
１６        突起部
１７        薄肉片                                                                                              
【図１】
2006346796.tif 000003
【図２】
2006346796.tif 000004
【図３】
2006346796.tif 000005
【図４】
2006346796.tif 000006
【図５】
2006346796.tif 000007
【図６】
2006346796.tif 000008